(57)【要約】【課題】  広大な砂漠が近年増え続けている。これを止めるための緑化が種々考えられているが、それぞれ問題点がり満足する緑地化方法が未だ見当たらない。【解決手段】  本発明の解決手段は、超撥水性ナノファイバーシートを使用して、樹木や各種の植物を根付かせて生育し、豊かな風土の緑化を可能にしたもので、乾燥した砂漠の上に超撥水性ナノファイバーシートを敷き詰め、その上に砂を積み上げて、積み上げた砂に地下水などより汲み上げた水をナノファイバー膜淡水化装置を通して必要量注入して貯水湖を形成し、この貯水湖に樹木や各種の植物を根付かせて砂漠の緑化を可能にしたものである。【選択図】図１
2015073531.tif 000002
【特許請求の範囲】
【請求項１】
乾燥した砂漠の上に超撥水性ナノファイバーシートを敷き詰め、その上に砂を積み上げて、積み上げた砂に水を必要量注入して貯水湖を形成し、この湖水湖に豊かな農作物や植物の生育を可能にしたことを特徴とする砂漠などの緑化方法。
【請求項２】
積み上げた砂に必要量注入する水は、地下水、あるいは海水、汚水より汲み上げた水をナノファイバー膜淡水化装置を通して、注入するようにしたことを特徴とする請求項１の砂漠などの緑化方法。
【請求項３】
貯水湖の表面に超撥水性ナノファイバーシートを被せたことを特徴とする請求項１の砂漠などの緑化方法。
【発明の詳細な説明】
【技術分野】
【０００１】本発明は、降雨量に対して蒸発量が大きく乾燥が著しい砂漠などおいて、超撥水性ナノファイバーシートを使用して、豊かな風土の緑化を可能にした砂漠などの緑化方法に関するものである。
【背景技術】
【０００２】  アフリカ大陸北部にある世界最大の砂漠であるサハラ砂漠や、ユーラシア大陸内陸部にあるゴビ砂漠、オーストラリヤ大陸にあるグレートビクトリ砂漠、グレートサンディ砂漠など広大な砂漠が近年増え続けている。これを止めるために緑化が考えられているが、以下のような問題を克服しなければならない。
１．砂が風によって移動する。これによって、根がむき出しになったり、植物に砂が被ったりする風害があること。
２．砂には保水力がないこと。
３．太陽光による水の蒸発があること。
４．灌漑による塩害が生じていること。
５．昼夜の寒暖差が激しいこと。
６．人口の増加によりわずかに生えている木を燃料化とする人口増加による砂漠化が生じていること。
７．家畜の頭数が増え、牧草を食い尽くす家畜による砂漠化が生じていること。【０００３】  このため、本発明は上記１〜５の項目を解決し、砂漠の緑化が拡大することで６、７の項目を必然的に解決するようにしたものである。砂漠の緑化を行うためこれまで、多くの研究者による保水への試み、国や人々による灌漑、植林が行われてきたがその多くは十分な効果を果さなかった。その原因は、広大な砂漠に対して灌漑、植林などで対応しようとした為、多くのコストや労力を無駄に費やしたことからである。【０００４】  本発明は、広大な砂漠を緑化するために、砂漠が持つ特性を生かし自然に適合した方法すなわち自然の治癒力を活力して砂漠を緑に復活させることで砂漠を緑の地によみがえらせることに着目したものである。【０００５】  そのため、まず砂漠の特性について考えてみる。
１．砂漠には無尽蔵の砂がある。
２．砂には毛管現象がある。特に細かい砂になればなるほど毛管現象が強くなる。
３．砂にはフイルタの機能を持つ浄化作用があり、生物がすめない。
４．砂漠には強烈な太陽光がある。
５．多くの砂漠には地下水がある。
６．砂漠の近くには海がある場所がある。
７．砂漠の近くには川や池などの飲めない水が存在する場所がある。【０００６】  これらのことを考慮すると、
砂漠の緑化の方法は、砂漠の特徴である砂を利用して砂漠に貯水湖を作ることで、具体的には砂漠に超撥水性ナノファイバーシートを敷き、その上に砂の層を作ることである。特に、超撥水性ナノファイバーシートは、水が地下に浸透することを遮断し、保水をする役割を果たす機能を有しており砂漠に貯水湖を作るには最適である。【０００７】  そのことから、砂と超撥水性ナノファイバーシートの特性について述べる。
まず、砂の特性としては
１．砂漠には無限に砂が存在する。
２．砂には毛管現象があるため、水を低いところから高いところへ浸透させることができる上保水が可能である。
３．砂の量が多ければ多いほど保水量が多い。
４．超撥水性ナノファイバーシートに砂の層がある場合、砂の毛管現象によって超撥水性ナノファイバーシートに直接水圧がかからない。つまり、砂の層は無限に厚くすることができ、砂漠では簡単に巨大な貯水湖を作ることができる。【０００８】次に、超撥水性ナノファイバーシートの特性としては
１．ポリプロピレン，ポリエチレンなど撥水性ポリマーをナノファイバーシート化することで超撥水性となる。
２．超撥水性ナノファイバーシートは、端部同志を重ねて一体に敷き詰めたシート上に砂を掛けるだけといった簡単な方法で砂漠の地形に応じて設置することができ、重機が不要で人力だけで可能となる。
３．非常に軽く、１ｋｇで３０ｍ２の広さにすることができる。
つまり、１．５ｍ幅×１００ｍのシートで重さが５ｋｇ程度である・
４．ペットボトルなど廃材から作ることができるため安価である。
５．断熱性が良い。
６．遮光性が良い。【０００９】  そこで、超撥水性ナノファイバーシートを使用する理由について以下に示す。
１．超撥水性ナノファイバーシートが安価であること。
（１）ペットボトルをリサイクルしてナノファイバー化することでペットボトルのゴミの処理を兼ねて安価な方式になる。
（２）１ｋｇの超撥水性ナノファイバーシートで３０ｍ２の広さに使用することができる。
２．施工が簡単である。
（１）各超撥水性ナノファイバーシートの端部を１５〜３０ｃｍ程度重ね合わせ砂を掛けるだけで防水ができる。
（２）砂の毛管現象を利用して水を全体に行き渡らせることで散水を簡単にする。
（３）水を含んだ砂は飛散しない。水を含んだ砂の上に乾燥した砂が被さると毛管現象にて砂に水が浸透し飛散しなくなる。
（４）軽いこと。３ｍ幅のナノファイバーシート１００ｍで１０ｋｇである。
（５）重機を用いることなく、人力で設置できる。
３・砂漠の起伏を整地することなく、超撥水性ナノファイバーシートを設置できること。
４．超撥水性ナノファイバーシートで昼間の強烈な太陽光による水分の蒸発を防ぐことができ、夜間の冷却から超撥水性ナノファイバーシート下の保温性を保つことができること。
５．超撥水性ナノファイバーシートを使用した砂漠の緑地化費用を算出すると、材料代については、ペットボトルの廃材を利用する。現在、日本でリサイクルペットの価格が１ｋｇあたり約４０円である。また、ナノファイバーシートの作成には電気が必要であるが、太陽光を利用して対応するため無料となる。
１ｈａ（１００ｍ×１００ｍ）を貯水湖にするには、１ｋｇのペットボトルで約３０平方メートルの領域が対応できるため、（１００００／３０）×４０＝３３３ｋｇあれば対応可能である。費用は、３３３ｋｇ×４０円＝１３，３２０円となる。例えば、中国の砂漠の面積が１７４万平方キロメートルであるため費用は、（１７４×１００００×１００００／３０）×４０＝２．３２兆円となる。これは、あくまで材料代ではあるが、実現できない金額ではない。
【発明の概要】
【発明が解決しようとする課題】
【００１０】  そこで、本発明の第１の目的は超撥水性ナノファイバーシートを活用して砂漠化を止め砂漠を緑化しょうとしたことである。【００１１】  次に、本発明のもう一つの目的は、昼間においては灼熱の太陽光線の直射を遮って、表面からの水分の蒸発を減らし、夜間における地熱の放射冷却現象を抑制して、表面の保温を維持するようにしたことである。【００１２】  本発明のもう一つの目的は、重機が不要で人力だけといった簡単な方法で施工可能にしたことである。【００１３】  本発明のもう一つの目的は、安価な費用で且つランニング費用も安価にしたものである。【００１４】  本発明のもう一つの目的は、ペットボトルなどの産業廃棄物を利用し、環境保全に貢献しょうとしたことである。
【課題を解決するための手段】
【００１５】  砂漠の拡大を止める方法として、植林などの活動では広大な砂漠を緑化できない。そのためには、大規模な灌漑が必要と考える。そのために淡水とそれを溜める貯水湖が必要となる。そこで本発明者は、種々の実験を踏まえ下記の視点から砂漠は水を溜めることに適していることを発見したことから砂漠に貯水湖が作れることに着目し、砂漠の緑化を完成したものである。
１．砂には、毛管現象があること。
２．砂の中に水を溜めるを太陽光による蒸発を抑えることができること。
３．砂漠の地下には地下水が豊富に存在すること。
４．砂の量が多ければ多いほど多くの水を溜めることができること。
５．水を含んだ砂は飛散しないこと。
６．水を含んだ砂の上に積もった砂は毛管現象で水が浸透すること。【００１６】  そこで、本発明の第１の解決手段は、乾燥した砂漠の上に超撥水性ナノファイバーシートを敷き詰め、その上に砂を積み上げたことである。【００１７】  本発明の第２の解決手段は、積み上げた砂に地下水あるいは海水、汚水より汲み上げた水を本発明者が開発したナノファイバー膜淡水化装置を通して必要量供給し、貯水湖を形成したことである。【００１８】  本発明の第３の解決手段は、貯水湖の表面に超撥水性ナノファイバーシートで被せたことである。【００１９】  ここで、超撥水性ナノファイバーシートは本発明者が開発したエアーブロー方式の電界紡糸法あるいは溶融電界紡糸法で繊維径が１０ｎｍ〜１μｍのナノファイバーからなる薄い層を積層して製作する。この場合、エアーブロー方式の電界紡糸法あるいは溶融電界紡糸法で製造すると、均一の層厚の超撥水性ナノファイバーシートを大量生産でき好ましい。【００２０】  そして、エアーブロー方式の電界紡糸法あるいは溶融電界紡糸法に使用する超撥水性ナノファイバーシートの素材は、ポリプロピレンやポリエチレンあるいはポリエステルなどの熱可塑性ポリマー性ペットボトルがそのまま利用される。特にペットボトルについては、イラク、アフガニスタン、サウジアラビアなどの国では、飲料水などの水の供給にペットボトルが使用されていることから、産業廃棄物の処理で大変な問題となっており、これを使用することにより産業廃棄物の減少につなげられ環境保全に大いに貢献できるものである。【００２１】  また、超撥水性ナノファイバーシートの機能は、砂漠の砂の上に超撥水性ナノファイバーシートを敷き詰めることにより、砂中の水分が地下へ流出するのを遮断し貯水湖の形成の役目を助けている。【００２２】  さらに、超撥水性ナノファイバーシートの機能は、貯水湖の表面を被せることによって、昼間においては灼熱の太陽光線の直射を遮って、表面からの水分の蒸発を減らし、夜間における地熱の放射冷却現象を抑制して、表面の保温を維持する役目を有している。さらに、超撥水性ナノファイバーシートは表面の砂が風で吹き飛ばされるのを阻止する役目も有している。【００２３】  上記課題解決手段による作用は次の通りである。乾燥した砂漠の上に超撥水性ナノファイバーシート同志の端部が隙間なく重ね合わさるように敷き詰め、その上に砂を積み上げて、地下水あるいは海水、汚水より汲み上げた水を本発明者が開発したナノファイバー膜淡水化装置を通して必要量供給する。これにより、砂に供給された水は砂の毛管現象により砂の全体に行き渡らせられ、砂は水の貯水湖として形成される。これにより、この貯水湖は豊かな農作物および植物の生育を可能にするオアシスとして形成されるものである。【００２４】  また、貯水湖の表面を超撥水性ナノファイバーシートで被せるようにしたので、昼間においては灼熱の太陽光線の直射を遮って、表面からの水分の蒸発を減らし、夜間における地熱の放射冷却現象を抑制して、表面の保温を維持することができ豊かな農作物および植物の生育を可能にするものである。さらに、超撥水性ナノファイバーシートは表面の砂が風で吹き飛ばされるのを阻止する効果も発揮するもので���る。【００２５】  また、超撥水性ナノファイバーシートの上に積み上げた砂に地下水あるいは海水、汚水より汲み上げた水を必要量供給するようにしたナノファイバー膜淡水化装置は、冷却ユニットのタンクと、ナノファイバー厚膜で蒸発室と淡水室とに二分して形成した蒸留器と、蒸留器の底部に設けた貯水タンクと、貯水タンクの下部に設けた加熱部および取水口とから構成したナノファイバー膜淡水化装置本体に、冷却ユニットのタンクに水を導入する導入管を接続し、冷却ユニットのタンクと貯水タンク間に移送管を取り付け、取水口には淡水容器に延びた回収管を設けて、水から大量の淡水を生成できるようにした構成であることから、海水の塩分や汚水中の微生物などが除去され、農作物および植物の生育を阻害することなく、最適な緑化を可能にするものである。
【発明の効果】
【００２６】１．厚い砂の層に水を与えると毛管現象によって砂の中に水が広がっていくが、超撥水性ナノファイバーシートより遮断され地下へ水が浸透することを防ぐことができ、砂の中に保水することができる。これによって、砂漠に巨大な貯水湖を作ることができる。
２．毛管現象で超撥水性ナノファイバーシートにかかる水圧は非常に低いものとなることで砂の量が多ければ多いほど水を溜めることが可能となる。
例えば、砂の厚みを１００ｍ以上にすることも可能であるため、砂漠では簡単に巨大な砂の貯水湖すなわちダムを作ることができる。
３．砂の毛管現象で水を低いところに加えることで高いところに広がって行く。
例えば、穴を掘ったり、整地することなく砂漠の地形に沿って、超撥水性ナノファイバーシートを敷き、砂をかけるだけで施工できる。
４．水が浸透した砂は風によって飛散しなくなる。また、水が浸透した砂の上に飛散してきた砂が乗ると毛管現象で飛散してきた砂に水が浸透して風で飛散しなくなる。つまり、砂漠では風によって飛散する砂によって貯水湖すなわちダムを更に巨大なものに成長させる。
５．超撥水性ナノファイバーシートは、地下からの水を通さないため、超撥水性ナノファイバーシートの層で地下とも縁をきることができる。つまり、塩害の土地から塩分を除去することは不可能であるため超撥水性ナノファイバーシートを塩害の土地の上に敷き、塩の層の下にある塩分を含まない砂をその上にかけることで塩害を対策することができる。
６．この地下と縁を切る方法は下記の場合も適用することができる。
（１）福島原発に引き起こされた放射性物質で汚染された田、畑を除染するのではなく、地下に格納することで再生することができる。
（２）ミャンマーやカンボジアなど地下水にヒ素が混じっている場合、超撥水性ナノファイバーシートと砂の貯水湖すなわちダムを作ることで雨を溜め安全な水を溜めることができる。
（３）熱帯雨林で雨が多く降るが、平坦な場所で水をためることができない場所でも超撥水性ナノファイバーシートと砂で貯水湖すなわちダムを作ることができる。
７．砂すなわち貯水湖の上に薄い超撥水性ナノファイバーシートを被せることで砂漠の強烈な太陽光による水の蒸発を防ぐことができる。
８．さらに、必要に応じて超撥水性ナノファイバーシートの上に薄い砂の層を被せることも可能である。超撥水性ナノファイバーシートと薄い砂の層の組み合わせは、必須ではなく必要に応じて設置する。そして、超撥水性ナノファイバーシートは、太陽光を反射（可視光の青の波長は約４００ｍｍであり、超撥水性ナノファイバーシートの直径は約４００ｍｍであるためほぼ太陽光を全反射する。）することで水の蒸発を抑えることができる。
すなわち
（１）薄い砂は、撥水性ナノファイバーシートが風で飛ばされないための重しと超撥水性ナノファイバーシートへの直射日光の照射を緩和するためにある。超撥水性ナノファイバーシートの素材がポリエチレンの場合、ポリエチレンは直射日光が当たると短期間で劣化する可能性があることから、薄い砂の層はポリエチレンの劣化を抑える効果がある。
（２）超撥水性ナノファイバーシートと薄い砂の層の組み合わせで太陽光を反射し水の蒸発を抑えることができること。また油を超撥水性ナノファイバーシートに噴霧することで水の蒸発を更に抑えることができると思われる。
（３）超撥水性ナノファイバーシートは、断熱性が良く夜間では水を含んだ砂を保温することができる。
【図面の簡単な説明】
【００２７】
【図１】本発明に使用する超撥水性ナノファイバーシートの製作概念図を示す。
【図２】本発明に使用する超撥水性ナノファイバーシート上に砂を積み上げた図を示す。
【図３】各超撥水性ナノファイバーシートの端部を重ね合わせた超撥水性ナノファイバーシート上に砂の層を形成した図を示す。
【図４】砂漠の表面に沿って超撥水性ナノファイバーシートを設置した図を示す。
【図５】砂漠のもう一つ表面に沿って超撥水性ナノファイバーシートを設置した図を示す。
【図６】超撥水性ナノファイバーシート上に積み上げた砂に水を含ませて形成した貯水湖を示す図。
【図７】水を含んだ砂の上に乾燥した砂が積もった際も毛管現象が生じて水が低いところから高いところへ浸透している状態を示す図。
【図８】水を含んだ砂に淡水を含ませ貯水湖をオアシス化した図を示す図。
【図９】図８の淡水の上に超撥水性ナノファイバーシートを被せた図。
【図１０】超撥水性ナノファイバーシート上に積み上げた砂に水を含ませて形成した貯水湖を示す図。
【図１１】超撥水性ナノファイバーシート上に塩を含んだ砂を積み上げ、この砂に水を含ませて形成した貯水湖を示す図。
【図１２】砂の表面に生じた塩の表層を示す図。
【図１３】図１２に示す塩の表層の上に超撥水性ナノファイバーシートを敷き詰め、その上に塩を含まない砂を積み上げた図を示す。
【図１４】本発明の砂漠の緑化方法を施工した際の透視図。
【発明を実施するための形態】
【実施例】
【００２８】  図１は本発明に使用する超撥水性ナノファイバーシート１の製作概念図を示すもので、超撥水性ナノファイバーシート１は本発明者が開発したエアーブロー方式の電界紡糸法あるいは溶融電界紡糸法で繊維径が１０ｎｍ〜１μｍのナノファイバーからなる薄い層を積層して製作する。この場合、エアーブロー方式の電界紡糸法あるいは溶融電界紡糸法で製造すると、均一の層厚の超撥水性ナノファイバーシートを大量生産でき好ましい。【００２９】  このとき、ポリプロピレンやポリエチレンあるいはポリエステルは溶融しても混ざり合わないため、分別をしなくてもそれぞれの超撥水性ナノファイバーシートが生成される。【００３０】  また、超撥水性ナノファイバーシートの機能は、砂漠の砂の上に超撥水性ナノファイバーシートを敷き詰めることにより、砂中の水分が地下へ流出するのを遮断し貯水湖の形成の役目を助けている。【００３１】  図２は、図１で形成した超撥水性ナノファイバーシートの接合部２を重ね合わせ、その上に砂３または土をかけたもので、これにより水が漏洩することを止めることができる状態を示している。【００３２】  図３は、各超撥水性ナノファイバーシート１の継ぎ目４を合わせて拡張した状態を示すもので、拡張した超撥水性ナノファイバーシート１の上に砂３を被せることで、砂３の毛管現象によって、注入した水の水圧を押さえ直接水圧がかかることを防ぎ超撥水性ナノファイバーシート１の水漏れを防ぐことができる。このように超撥水性ナノファイバーシート１の継ぎ目４に砂３または土をかけることで漏水を防ぐことができる。【００３３】  図４は、高低差の大きな砂漠５の表面に超撥水性ナノファイバーシート１を敷き詰め、その上に砂をかけた状態を示すものである。このように高低差の大きな砂漠５のケースに於いても、注入された水は、砂の毛管現象により水を低いところから高いところへ浸透させるため、水をまんべんなく全体に行き渡らせることができ、特に低い場所でも水が漏れることがないことを示している。【００３４】  図５は、平坦な砂漠５の表面に超撥水性ナノファイバーシート１を敷き詰めても注入した水が全体に行き渡り、平坦な砂漠５においても好ましい貯水湖を形成することができることを示している。【００３５】  図６は、砂漠５の表面に敷き詰められた超撥水性ナノファイバーシート１上の水を含んだ砂３‘に、乾燥地帯の雨季に大量の雨が貯水されることから貯水湖が形成されることを示している。水の注入は、特に地下水を汲み上げあるいは海岸のちかくでは海水を汲み上げナノファイバー膜淡水化装置６で淡水化して注入するようにしたものである。【００３６】  図７は、水を含んだ砂３‘の上に飛散してきた乾燥の砂３が被さった状態を示すもので、水を含んだ砂３‘の上に乾燥した砂３が被さると毛管現象によって乾燥した砂に水が浸透して飛散しなくなる上、砂の量が多くなりその分水分保水量が多くなって大きな貯水湖が形成される。また、水の注入は特に地下水を汲み上げるかあるいは海岸のちかくでは海水を汲み上げナノファイバー膜淡水化装置６で淡水化して注入するようにしている。【００３７】  図８は、地下水をあるいは海岸のちかくでは海水を汲み上げナノファイバー膜淡水化装置６��淡水化して、水を含んだ砂に注入し貯水湖が形成しオアシスを実現したものである。このオアシスにより生態系を復活しようとしたものである。【００３８】  図９は、地下水をあるいは海岸のちかくでは海水を汲み上げナノファイバー膜淡水化装置６で淡水化して、水を含んだ砂３‘に注入し貯水湖を形成し、この貯水湖の表面に超撥水性ナノファイバー１を被せ、超撥水性ナノファイバーシート１で昼間の強烈な太陽光による水分の蒸発を防ぎ、夜間の冷却から超撥水性ナノファイバーシート１下の保温性を保つことができるようにしたものである。【００３９】  図１０は、砂漠５の表面に敷き詰めた超撥水性ナノファイバーシート１上の砂３の貯水湖は簡単にどの場所であっても井戸７を設置できるようにしたものである。また雨や汚水が入っても砂が水を浄化するためきれいな水となる。さらに、砂漠７だけでなくミャンマーやカンボジアなど地下水がヒ素や重金属を含んでいる地域でも簡単に砂３の貯水湖を作ることができ、きれいな水を溜めることが可能である。【００４０】  図１１は、砂３の貯水湖から塩を生産するシステムを示し、灌漑によって塩類集中が起き、砂に大量の塩８が含まれる場所がある。ここでは、貯水湖を作成することで塩の生産が可能となる。しかも、地下水など淡水化が存在する場合は、これによって本発明者が開発した浸透圧発電を行うことができる。
すなわち、灌漑によって塩類集中が起きた原因は、灌漑によって水をまくことで砂３の毛管現象によって砂３の中に水が広がり、太陽により水が蒸発することで毛管現象で広がった水に塩分が溶け込み上昇し、砂漠５の表面に塩分が集中することで起きる。この現象を使用して貯水湖の一方から淡水を注入し、他方からナノファイバー膜淡水化装置６で淡水と塩を分離して取り出す。ナノファイバー膜淡水化装置６は、太陽光を利用して蒸発のエネルギーを供給し、且つ浸透圧発電によって地下水の汲み上げのためのポンプなどの電力を発生する。【００４１】  図１２は、塩分を含まない砂の層９の上に形成した塩の表層１０を示すもので、通常、灌漑を行って排水が不十分である場合、地下水面が上昇し、毛管現象によって塩類を含んだ地下水が地表に到達し吸い上げられ続ける。結果として、塩分を含まない砂の層９の上に形成した塩の表層が形成される。【００４２】  図１３は、塩害を対策した状態を示すもので、図１２に示す塩の表層１０の上に超撥水性ナノファイバーシート１を敷き、その上に塩の表層１０を削り塩分を含まない砂１１を超撥水性ナノファイバーシート１上にかける。これによって塩の表層１０から縁をきることができ塩害を対策することができるようになる。【００４３】  図１４は、砂漠の緑化方法を示したもので、まず砂漠５の表面に超撥水性ナノファイバーシート１が敷き詰められる。次に、超撥水性ナノファイバーシート１上に砂が相当量積み上げられる。さらに、積み上げられた砂３に地下水より汲み上げられた水をナノファイバー膜淡水化装置５を通して必要量注入される。これにより、砂３に注入された水は砂３の毛管現象により全体に行き渡り、砂３の貯水湖が形成される。この貯水湖に樹木の苗や植物の種をまくことにより緑豊かな緑化が長期に渡り可能となるものである。さらに、砂３の表面に必要に応じて超撥水性ナノファイバーシート１を被せることにより、昼間においては灼熱の太陽光線の直射を遮って、表面からの水分の蒸発を減らし、夜間における地熱の放射冷却現象を抑制して、表面の保温を維持することができ豊かな農作物および植物の生育を可能にするものである。さらに、超撥水性ナノファイバーシート１は表面の砂が風で吹き飛ばされるのを阻止する効果も発揮するものである。【００４４】  なお、本発明は前記実施形態そのままに限定されるものでなく、実施段階ではその要旨を逸脱しない範囲で構成要素を変形して具体化でき、また前記実施形態に開示されている複数の構成要素の適宜な組み合わせにより種々の変更が可能である。
【産業上の利用可能性】
【００４５】  本発明は、降雨量に対して蒸発量が大きく乾燥が著しい砂漠を緑化する対策は従来種々試みられてきたが、未だ満足する方法がなく、好ましい緑化対策が切望されている。本発明は超撥水性ナノファイバーシートを使用して、樹木や各種の植物を根付かせて生育し、豊かな風土の緑化を可能にした砂漠などの緑化方法で、従来の懸念された問題点を解消し、実用的にした効果はなはだ大なるものである。
【符号の説明】
【００４６】１・・・超撥水性ナノファイバーシート
２・・・超撥水性ナノファイバーシートの接合部    ３・・・砂
４・・・超撥水性ナノファイバーシートの継ぎ目    ５・・・砂漠
６・・・ナノファイバー膜淡水化装置              ７・・・井戸
８・・・砂に大量の塩      ９・・・塩分を含まない砂の層
１０・・塩の表層          １１・・・塩分を含まない層
【図１】
2015073531.tif 000003
【図２】
2015073531.tif 000004
【図３】
2015073531.tif 000005
【図４】
2015073531.tif 000006
【図５】
2015073531.tif 000007
【図６】
2015073531.tif 000008
【図７】
2015073531.tif 000009
【図８】
2015073531.tif 000010
【図９】
2015073531.tif 000011
【図１０】
2015073531.tif 000012
【図１１】
2015073531.tif 000013
【図１２】
2015073531.tif 000014
【図１３】
2015073531.tif 000015
【図１４】
2015073531.tif 000016